(57)【要約】      （修正有）【課題】室内に設置されたプレス機械などから発生する音と壁などに反射した音との増幅による室内の騒音と残響音を抑制するための壁に設置する吸音体を提供する。【解決手段】吸音体１は、設置面２ｅと、設置面２ｅの他方に傾斜面２ａと、端面２ｃに開孔部を形成した空気層２ｄと、を有する単体２を、複数隣接して配置する。【選択図】図１
0003198454.tif 000002
【実用新案登録請求の範囲】
【請求項１】
室内の壁に設置する吸音体であって、設置面と、前記設置面の他方に傾斜面と、端面に開孔部を形成した空気層と、を有する単体を、複数隣接して配置することを特徴とする吸音体。
【請求項２】
室内の壁に設置する吸音体であって、設置面と、前記設置面の他方に傾斜面と、端面に開孔部を形成した空気層と、を有する単体を隣接して組み合わせて一組の複合体とし、一組の複合体の傾斜面の隣に次の一組の複合体の端面を隣接するように設置することを特徴とする吸音体。
【請求項３】
単体は、中空の芯材と、表面材と、から一体的に形成することを特徴とする請求項１ないし２のいずれか一項記載の吸音体。
【考案の詳細な説明】
【技術分野】
【０００１】
本考案は、室内の壁に設置する吸音体に関する。
【背景技術】
【０００２】
従来、工場内に設置されたプレス機械などの音源によって発生する騒音を抑制するため、室内の壁に設置して音源から壁までの音を吸音かつ散乱させる吸音体として、突出部を有するパネルを壁に設置するものが示されている（例えば、特許文献１又は２参照）。
【先行技術文献】
【特許文献】
【０００３】
【特許文献１】特開平１１−１８４４７４号公報
【特許文献２】実開昭５８−１１５１０号公報
【考案の概要】
【考案が解決しようとする課題】
【０００４】
しかしながら、吸音体の吸音性能はおおよそ吸音部分の面積と厚みに比例するから、室内の空間を狭めない範囲での所定の高さの突出部のみによって構成される吸音体では吸音部分の面積と厚みには限度があり、吸音性能を向上させることは困難であった。また、音源からの音が止まっていても、暫く吸音されずに残った反射音によって生じる残響音が発生してしまう欠点が存在する。したがって、吸音部分の面積と厚みを確保しつつ、残響音も抑制するための吸音体が必要であった。
【課題を解決するための手段】
【０００５】
本考案は、上記課題に鑑み、室内の壁に設置する吸音体であって、設置面と、前記設置面の他方に傾斜面と、端面に開孔部を形成した空気層と、を有する単体を、複数隣接して配置することを特徴とする吸音体である。
【０００６】
また、室内の壁に設置する吸音体であって、設置面と、前記設置面の他方に傾斜面と、端面に開孔部を形成した空気層と、を有する単体を隣接して組み合わせて一組の複合体とし、一組の複合体の傾斜面の隣に次の一組の複合体の端面を隣接するように設置することを特徴とする吸音体である。
【０００７】
また、上記構成に加え、単体は、中空の芯材と、表面材と、から一体的に形成することを特徴とする吸音体である。
【考案の効果】
【０００８】
請求項１記載の考案によれば、音源から傾斜面への入射音は、傾斜面で吸音される。また、一部吸音されずに残った反射音は隣接する単体の側面もしくは傾斜面に入射して吸音及び反射し、空気層へ透過する音は空気層内部で吸音及び反射する。また、室内の壁やその他の傾斜面へ入射できない角度からの入射音を空気層に入射することで吸音及び反射する。
【０００９】
したがって、傾斜面、側面及び空気層で吸音部分の面積が形成されることによって吸音性能が向上し、反射音が小さくなるため、入射音と反射音によって増幅された音による騒音を抑制することが可能である。
【００１０】
また、吸音されずに残った反射音を空気層に入射することで、残響音の発生を抑制することが可能である。
【００１１】
請求項２記載の考案によれば、一組の複合体の傾斜面における反射音は、前記傾斜面に隣接する次の一組の複合体の複数の空気層に入射し、空気層内部で吸音されるため吸音性能の向上及び残響音の発生抑制を効果的に実施することが可能である。
【００１２】
請求項３記載の考案によれば、傾斜面、設置面、及び側面から空気層との間に所定の厚みを形成することができ、吸音性能を向上させることが可能である。
【図面の簡単な説明】
【００１３】
【図１】本考案の第一実施形態における単体を複数隣接して構成された吸音体を壁に設置した状態を示す斜視図である
【図２】本考案の第二実施形態における複合体を組み合わせて構成された吸音体を壁に設置した状態を示す斜視図である。
【図３】図２の音源から吸音体を複数配置した状態を示す正面図である。ただし、図１ないし３では、単体を繰り返し配置しているため、符号の記載を一部省略する。
【考案を実施するための形態】
【００１４】
（第一実施形態）
本考案の吸音体の第一実施形態について、図１に基づいて詳細に説明する。
【００１５】
図１に、音源４のある室内の壁３に吸音体１を設置している状態を示す。この吸音体１は複数の単体２を隣接し、設置面２ｅを壁３に設置している状態である。このとき、傾斜面２ａは音源４方向に対して所定の角度を有する。
【００１６】
この単体２は、設置面２ｅと、該設置面2ｅの反対方向（他方）に傾斜面2ａと、端面２ｃに開孔部を形成した空気層２ｄと、によって形成される。
【００１７】
上述した構成により、音源４から傾斜面２ａへ入射する音（入射音４ａ）は、傾斜面２ａで吸音される。また、一部吸音されずに残った音が反射する音（反射音４ｂ）及び透過する音（透過音４ｃ）となる。この反射音４ｃは隣接する単体２の側面もしくは傾斜面２aに入射して吸音及び反射され、透過音４ｄは空気層２ｄで吸音及び反射する。
【００１８】
また、室内の物体から反射され傾斜面２ａへ入射できない角度からの入射音４ｄは、端面２ｃの空気層２ｄへ入射することで、空気層２ｄ内部で吸音及び反射する。
【００１９】
したがって、この吸音及び反射を繰り返すことによって音波が減衰し、反射音４ｂが小さくなるため、入射音４ａと反射音４ｂによって増幅された音による騒音を抑制することが可能である。また、空気層２ｄを設けることで吸音することができる面積を増やすことができ、吸音性能が向上するとともに、残響音発生の原因である吸音されずに残った反射音４ｂや入射音４ｄを空気層内部に取り込むことができ、残響音の発生を抑制することが可能である。
【００２０】
さらに、この単体２は、芯材と表面材２ｂの二層構造であり、芯材によって単体２の傾斜面２a、端面２ｃ、空気層２ｄ及び設置面２eを形成し、その表面を表面材２ｂによって被覆している。ここで、芯材及び表面材２ｂの素材は吸音性能を有するものであればよく、例えば、表面材２ｂはガラスクロス、芯材はグラスウールを主体とする素材を用いることができる。
【００２１】
これにより、単体２の傾斜面２ａ、側面及び空気層２ｄとで、吸音部分の面積を有し、吸音性能が向上させることができる。また、単体２の個数や大きさを調整することで吸音体１の大きさを容易に変更でき、壁のサイズや形状に合わせて施工することが可能である。
【００２２】
さらに、グラスウールやガラスクロスで形成される単体２で構成される吸音体１は、燃え広がりにくい防火性能を有するとともに、表面材２ｂのガラスクロスでグラスウールの芯材の劣化を保護することができ、建築物の室内に設置することに適している。
【００２３】
（第二実施形態）
次に、本考案の第二実施形態について、図２、図３に基づいて詳細に説明する。
【００２４】
図２に、第一実施形態の吸音体１を一組の複合体５とし、一組の複合体５の傾斜面２ａの隣に次の一組の複合体５の端面２ｃを接するように複数の複合体５を壁３に配置した吸音体１を示す。
【００２５】
これにより、傾斜面２ａにおける反射音４ｂは隣接する複数の空気層２ｄに入射し、空気層２ｄ内部で吸音及び反射される。そのため、第一実施形態のような一方方向にのみ隣接させた吸音体１に比べ、傾斜面２ａと側面のみだった吸音部分が、複数の空気層２ｄによって吸音部分の面積を増加させることができ、吸音性能がさらに向上するとともに、より多くの吸音されずに残った反射音４ｂを空気層２ｄへ取り込むことが可能になり残響音を抑制することができる。
【００２６】
また、図３に複数の第二実施形態の吸音体１を壁３に繰り返し配置した状態を、音源４からみた状態を示す。この時、壁３における配置すべき面積に応じて単体２の個数や大きさを調整することで吸音体１の大きさを容易に変更でき、壁のサイズや形状に合わせて施工することが可能である。
【００２７】
上記の第一及び第二実施形態では、吸音体１は複数の単体２を隣接して構成された場合の例示を示すが、すべての吸音体を一体的に成形することも可能である。
【符号の説明】
【００２８】
１・・・吸音体、２・・・単体、２ａ・・・傾斜面、２ｂ・・・表面材、２ｃ・・・端面、２ｄ・・・空気層、２e・・・設置面、3・・・壁、４・・・音源、４ａ、４ｄ・・入射音、４ｂ・・・反射音、４ｃ・・・透過音、５・・・複合体
【図１】
0003198454.tif 000003
【図２】
0003198454.tif 000004
【図３】
0003198454.tif 000005